(57)【要約】【課題】  希望する放送のチャンネルを効率良く読み出すことを可能にしたテレビジョン装置を提供する。【解決手段】  複数の放送形式に対応した複数のチューナー１６と、チューナー１６のチャンネルを指定するダイレクト選局ボタンを含むリモコン１１と、選局処理部１４とを備え、ダイレクト選局ボタンの内、同一の選局ボタンが所定時間内に連続して押されると、チューナー選択部１３は受信チューナーを切り替え、選局処理部１４はその選局ボタンに割り当てられた受信チューナーのチャンネルを選局し、そのチャンネルの映像信号を表示装置２０に表示させる。【選択図】        図１
2006197084.tif 000002
【特許請求の範囲】
【請求項１】
表示装置と、
複数の放送形式に対応した複数のチューナーと、
前記チューナーを選択するチューナー選択ボタン及び前記チューナーのチャンネルを選局するダイレクト選局ボタンを含む操作部と、
前記操作部のチューナー選択ボタンが押されると、その選択ボタンに対応したチューナーを受信チューナーとして選択するチューナー選択部と、
前記操作部のダイレクト選局ボタンが押されると、その選局ボタンに割り当てられた前記受信チューナーのチャンネルを選局して該当するチャンネルの映像を前記表示装置に表示させる選局処理部とを備え、
前記ダイレクト選局ボタンの同一の選局ボタンが所定時間内に連続して押されると、前記チューナー選択部は受信チューナーを切り替え、前記選局処理部はその選局ボタンに割り当てられたチャンネルを選局することを特徴とするテレビジョン装置。
【請求項２】
前記受信チューナーを切り替えるための順序について情報が格納されるプリセット情報保存部を備え、前記ダイレクト選局ボタンの同一の選局ボタンが所定時間内に連続して押されると、前記チューナー選択部は前記プリセット情報保存部の切り替え順序の情報に基づいて受信チューナーを切り替えることを特徴とする請求項１記載のテレビジョン装置。
【請求項３】
前記プリセット情報保存部は、前記ダイレクト選局ボタンに対応して複数のチューナーのそれぞれについてのチャンネル情報が格納されており、前記選局処理部は、前記プリセット情報保存部に格納されたチャンネル情報に基づいて受信チューナーのチャンネルを選局することを特徴とする請求項２記載のテレビジョン装置。
【請求項４】
前記選局処理部は、第１のレジスタ及び第２のレジスタを備え、前記ダイレクト選局ボタンが操作されたときその操作信号を前記第１のレジスタに格納し、前記第１のレジスタの記憶内容と第２のレジスタの記憶内容とを比較して一致したときには、前記チューナー選択部が受信チューナーを切り替え、前記選局処理部が受信チューナーのチャンネルを選局することを特徴とする請求項３記載のテレビジョン装置。
【請求項５】
前記選局処理部は、前記第１のレジスタの記憶内容と第２のレジスタの記憶内容とを比較して一致していないときには受信チューナーのチャンネルを前記ダイレクト選局ボタンの操作信号及び前記プリセット情報保存部のチャンネル情報に基づいて選局することを特徴とする請求項４記載のテレビジョン装置。
【請求項６】
前記選局処理部は、受信チューナーのチャンネルを切り替えた後、前記第１のレジスタの記憶内容を前記第２のレジスタに格納することを特徴とする請求項５記載のテレビジョン装置。
【請求項７】
前記選局処理部はタイマーを備え、受信中のチューナーのチャンネルを切り替えた後、前記タイマーの計測を開始させ、所定時間計測した時点で、前記第２のレジスタの記憶内容を無効にすることを特徴とする請求項４〜６の何れかに記載のテレビジョン装置。
【発明の詳細な説明】
【技術分野】
【０００１】
本発明は、ＢＳデジタル放送、ＣＳデジタル放送等の複数の放送形式に対応した複数のチューナーを備えたテレビジョン装置に関し、特に、チューナー及びそのチャンネルの切り替えに関する。
【背景技術】
【０００２】
近年のテレビ放送は、ＢＳデジタル放送、ＣＳデジタル放送、地上デジタル放送、地上アナログ放送と多様化してきており、そして、各放送におけるチャンネルも多い。このため、リモコンのダイレクト選局ボタンやアップダウン選局ボタンで選局する際には、受信するチューナーを選択するためのボタンを先に押しておいてから、チャンネルを選択するためのボタンを押す方式のものが採用されている。例えばＢＳデジタル放送のＣｈ１（チャンネル１）を視聴中に、地上デジタル放送のＣｈ３（チャンネル３）を見たいと思ったときに、チューナーを選択するためのボタンを押さずにそのままＣｈ３のダイレクト選局ボタン等を押すとＢＳデジタル放送のＣｈ３が選局されてしまう。この場合には、ＣＳデジタル放送を選択するためのＣＳボタンを押してからＣｈ３のダイレクト選局ボタンを押す必要があり、手間がかかるという問題点があった。
【０００３】
このような問題点を解決するために、例えば１個のダイレクト選局ボタンに複数のチャンネルボタンを予め割り当てておき、同一のダイレクト選局ボタンを押すたびに登録されたチャンネルを順次読み出して選択するものが提案されている（例えば特許文献１）。
【特許文献１】特開２０００−１０１９３９号公報
【発明の開示】
【発明が解決しようとする課題】
【０００４】
しかし、上記の方法（特許文献１）においては、放送形式に関係なく、登録した順に読み出されるので、異なったダイレクト選局ボタンを押した場合には、最初のチャンネルから始まってしまい、希望する放送形式のチャンネルをすぐには読み出せない、という問題点があった。
【０００５】
本発明は、このような問題点を解決するためになされたものであり、希望する放送のチャンネルを効率良く読み出すことを可能にしたテレビジョン装置を提供することを目的とする。
【課題を解決するための手段】
【０００６】
本発明に係るテレビジョン装置は、表示装置と、複数の放送形式に対応した複数のチューナーと、前記チューナーを選択するチューナー選択ボタン及び前記チューナーのチャンネルを選局するダイレクト選局ボタンを含む操作部と、前記操作部のチューナー選択ボタンが押されると、その選択ボタンに対応したチューナーを受信チューナーとして選択するチューナー選択部と、前記操作部のダイレクト選局ボタンが押されると、その選局ボタンに割り当てられた前記受信チューナーのチャンネルを選局して該当するチャンネルの映像を前記表示装置に表示させる選局処理部とを備え、前記ダイレクト選局ボタンの同一の選局ボタンが所定時間内に連続して押されると、前記チューナー選択部は受信チューナーを切り替え、前記選局処理部はその選局ボタンに割り当てられたチャンネルを選局するものである。本発明においては、同一の選局ボタンが所定時間内に連続して押されると、受信チューナーを切り替えるとともに、その選局ボタンに割り当てられた受信チューナーのチャンネルを選局し、そのチャンネルの映像信号を表示装置に表示させるようにしており、このため、希望する放送のチャンネルを効率良く読み出すことが可能になっており、操作性に優れたものとなっている。
【０００７】
また、本発明に係るテレビジョン装置は前記受信チューナーを切り替えるための順序について情報が格納されるプリセット情報保存部を備え、前記ダイレクト選局ボタンの同一の選局ボタンが所定時間内に連続して押されると、前記チューナー選択部は前記プリセット情報保存部の切り替え順序の情報に基づいて受信チューナーを切り替える。本発明においては、プリセット情報保存部に格納される受信チューナーを切り替えるための順序を視聴者の嗜好に合わせることで、操作性に優れたものとなっている。
【０００８】
また、本発明に係るテレビジョン装置において、前記プリセット情報保存部は、前記ダイレクト選局ボタンに対応して複数のチューナーのそれぞれについてのチャンネル情報が格納されており、前記選局処理部は、前記プリセット情報保存部に格納されたチャンネル情報に基づいて受信チューナーのチャンネルを選局する。本発明においては、同一の選局ボタンが所定時間内に連続して押されると、受信チューナーを切り替えるとともに、プリセット情報保存部に格納された情報に基づいて受信チューナーのチャンネルを選局し、そのチャンネルの映像信号を表示装置に表示させるようにしており、このため、希望する放送のチャンネルを効率良く読み出すことが可能がなっており、操作性に優れたものとなっている。特に、プリセット情報保存部に格納される情報に視聴者の嗜好に合わせることで、操作性に優れたものとなる。
【０００９】
また、本発明に係るテレビジョン装置において、前記選局処理部は、第１のレジスタ及び第２のレジスタを備え、前記ダイレクト選局ボタンが操作されたときその操作信号を前記第１のレジスタに格納し、前記第１のレジスタの記憶内容と第２のレジスタの記憶内容とを比較して一致したときには、前記チューナー選択部が受信チューナーを切り替え、前記選局処理部が受信チューナーのチャンネルを選局する。
【００１０】
また、本発明に係るテレビジョン装置において、前記選局処理部は、第１のレジスタの記憶内容と第２のレジスタの記憶内容とを比較して一致していないときには受信チューナーのチャンネルを前記操作信号及び前記プリセット情報保存部のチャンネル情報に基づいて選局する。
【００１１】
また、本発明に係るテレビジョン装置において、前記選局処理部は、受信中のチューナーのチャンネルを切り替えた後、前記第１のレジスタの記憶内容を前記第２のレジスタに格納する。それによって、第２のレジスタには最終の操作チャンネルが常に格納され、同一のダイレクト選局ボタンが操作されたかどうかを判断する際の基準となる。
【００１２】
また、本発明に係るテレビジョン装置は、前記選局処理部はタイマーを備え、受信中のチューナーのチャンネルを切り替えた後、前記タイマーの計測を開始させ、所定時間計測した時点で、第２のレジスタの記憶内容を無効にする。前記タイマーの計測により所定時間を超えると、第２のレジスタの記憶内容を無効にして、仮に同一のダイレクト選局ボタンが連続して操作されたとしても、先の選局ボタンによる操作とそれに続いた最新の選局ボタンによる操作と一致していないものとして扱い、例えばその最新のダイレクト選局ボタンによる選局処理を行う。
【発明を実施するための最良の形態】
【００１３】
実施形態１．
図１は本発明の実施形態１に係るテレビジョン装置の構成を示すブロック図でる。このテレビジョン装置は、図１に示されるように、リモコン１１、キー入力処理部１２、チューナー選択部１３、選局処理部１４、プリセット情報保存部１５、チューナー１６、映像音声処理部１７、映像出力部１８、音声出力部１９、表示装置２０及びスピーカ−２１から構成されている。リモコン１１は、チューナー選択ボタン、選局ボタン（ダイレクト選局ボタン、アップダウン選局ボタン）等を備えており（後述の図２参照）、視聴者によって操作される。リモコン１１による操作信号はキー入力処理部１２において解析されて操作信号に対応した制御信号等が出力される。チューナー選択部１３は、視聴者がリモコン１１の操作により見たい放送の種類を特定すると、キー入力処理部１２からの放送の選択信号に基づいてチューナー１６を選択する。この例では、チューナー１６はＢＳデジタルチューナー１６ａ、ＣＳデジタルチューナー１６ｂ、地上デジタルチューナー１６ｃ及び地上アナログチューナー１６ｄを備えており、各種の放送形式に対応できるように構成されている。選局処理部１４は、視聴者がリモコン１１のボタン操作により見たいチャンネルを特定すると、チューナー選択部１３により選択された受信チューナー（１６ａ〜１６ｄ）のチャンネルを選局するものであり、受信チューナー（１６ａ〜１６ｄ）に選局信号を出力し、受信チューナー（１６ａ〜１６ｄ）ではその選局信号に対応したチャンネルが選局される。プリセット情報保存部１５には後述のようにダイレクト選局ボタンと受信チャンネルとの関係が設定されており（図３参照）、選局処理部１４がその関係を参照して受信チューナーのチャンネルを選局をする。
【００１４】
チューナー１６は上述のように複数のチューナー１６ａ〜１６ｄを備えており、例えばアンテナ（図示せず）と接続されており、アンテナは、周波数変換器を備えており、例えばＢＳ（Broadcasting Satellite：放送衛星）、ＣＳ（Communication Satellite）、地上デジタル放送局、地上アナログ放送局から送られてくるデジタル放送信号又はアナログ放送信号を受信して、周波数変換した信号をチューナー１６に出力する。ＢＳデジタルチューナー１６ａ、ＣＳデジタルチューナー１６ｂ及び地上デジタルチューナー１６ｃは、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。地上アナログチューナー１６ｄは従来のアナログ受信機に用いられるのと同様なチューナーから構成されており、映像・音声データを含む高周波アナログ変調信号のうちから特定周波数の信号を取り出す処理をする。映像音声処理部１７は、デマルチプレクサ、ビデオデコーダ、オーディオデコーダ、検波回路等を内蔵しており、前記トランスポート・ストリームを、デマルチプレクサにより例えばＭＰＥＧ２（Ｍｏｖｉｎｇ Ｐｉｃｔｕｒｅ Ｅｘｐｅｒｔｓ Ｇｒｏｕｐ２）のビデオストリーム及びオーディオストリーム等に分離し、ビデオストリームをビデオデコーダにより処理して、入力された可変長符号を復号して量子化係数や動きベクトルを求め、逆ＤＣＴ変換や動きベクトルに基づく動き補償制御等を行って映像出力部１８に出力する。また、地上アナログチューナー１６ｄからの出力については映像信号を検波する等の処理をした後にデジタル信号に変換して映像出力部１８に出力する（なお、地上アナログチューナー１６ｄからの出力についてはデジタル放送の受信信号とは全く並行して処理してもよいが、ここでは映像出力部１８においてデジタル処理する例を示すものとする。このことは音声データにおいても同様である。）。映像出力部１８は映像音声処理部１７からの映像信号に基づいて表示装置２０に表示させる映像信号を生成するものであり、例えばスケーラ−／ＯＳＤ（オンスクリーンデスプレイ）処理回路、フレームメモリ等を内蔵しており、例えばフレームメモリにフレーム毎にフレーム画像を生成し、そのフレーム画像（映像信号）を読み出してＤ／Ａ変換を行い、例えばコンポジット映像信号に変換して表示装置２０に出力し、表示装置２０はその映像信号によるＴＶ映像等を表示する。
【００１５】
また、映像音声処理部１７のオーディオストリームについては、ビデオデコーダが入力された符号化信号を復号して音声信号（音声データ）を生成し音声出力部１９に出力する。また、地上アナログチューナー１６ｄからの出力については音声信号を検波する等の処理をした後にデジタル信号に変換して音声出力部１９に出力する。音声出力部１９はその音声信号をＤ／Ａ変換し、例えば右（Ｒ）音のアナログ信号及び左（Ｌ）音のアナログ信号を生成して増幅して、スピーカー２１に出力することでスピーカー２１から音声が得られる。
【００１６】
図２はリモコン１１の主要部を抽出した正面図であり、これはチューナー選択ボタン３１及び選局ボタン３２を備えている。チューナー選択ボタン３１は、ＢＳデジタルチューナー１６ａを選択する選択ボタン３１ａ、ＣＳデジタルチューナー１６ｂを選択する選択ボタン３１ｂ、地上デジタルチューナー１６ｃを選択する選択ボタン３１ｃ及び地上アナログチューナー１６ｄを選択する選択ボタン３１ｄをそれぞれ備えている。選局ボタン３２は、ダイレクト選局ボタン（数値キー）３２ａ及びアップダウン選局ボタン３２ｂから構成されている。チューナー選択ボタン３１及び選局ボタン３２が操作されると、キー入力処理部１２によりその操作信号が解析されてチューナー選択部１３又は選局処理部１４に出力し、チューナー選択部１３によって受信チューナーの選択がなされ、選局処理部１４によって受信チューナー１６（１６ａ〜１６ｄ）のチャンネルの選局が行われる。
【００１７】
図３はプリセット情報保存部１５に設定されているダイレクト選局ボタン３２ａと受信チャンネルとの関係を示した図である。同図に示されるように、各ボタン（１〜１２）に各放送種別ごとのチャンネルが割り当てられる。例えばダイレクト選局ボタン３２ａの「１」には、ＢＳデジタル放送（ＢＳ）のＣｈ１０１、ＣＳデジタル放送（ＣＳ）のＣｈ１、地上デジタル放送（地上Ｄ）のＣｈ２０、地上アナログ放送（地上Ａ）のＣｈ４４が割り当てられる。他のボタン「２」〜「１２」においても同様に、各放送種別に対応したチャンネルが設定されている。また、ここでは、図３の放送種別の並び（ＢＳ、ＣＳ、地上Ｄ、地上Ａ）は後述する際のチューナーの切り替え順序を示す情報ともなっているものとする。
【００１８】
図４は選局処理部１４に含まれるレジスタ等の説明図である。選局処理部１４は、最後に押したダイレクト選局ボタン３２ａのチャンネルデータ（数値）が格納されるレジスタLastCh１４ａ、新しく押したダイレクト選局ボタン３２ａのチャンネルデータ（数値）が格納されるレジスタNewCh１４ｂ、ＢＳデジタル放送の最終の受信チャンネルデータ（数値）が格納されるレジスタChBS１４ｃ、ＣＳデジタル放送の最終の受信チャンネルデータ（数値）が格納されるレジスタChCS１４ｄ、地上デジタル放送の最終の受信チャンネルデータ（数値）が格納されるレジスタChGD１４ｅ、地上アナログ放送の最終の受信チャンネルデータ（数値）が格納されるレジスタChGA１４ｆを備えている。更に、選局処理部１４は連続して同じダイレクト選局ボタン３２ａが所定時間以内に押されたかどうかを判別するための時間を計測するためのLastChクリアタイマ１４ｇを備えており、タイムアップするとレジスタLastCh１４ａの記憶内容を無効にする。なお、レジスタLastCh１４ａは本発明の第２のレジスタに相当し、レジスタNewCh１４ｂは本発明の第１のレジスタに相当し、LastChクリアタイマ１４ｇは本発明のタイマに相当する。
【００１９】
図５は視聴者がリモコン１１を操作してチャンネルを切り替える際のチューナー選択部１３及び選局処理部１４の処理を示したフローチャートである。ここでは、チューナー選択部１３により或るチューナー１６（１６ａ〜１６ｄ）が選択されているものとする。選局処理部１４は、リモコン１１のダイレクト選局ボタン３２ａの操作信号をキー入力処理部１２を介して入力すると、それをレジスタNewCh１４ｂに格納する（Ｓ１１）。そして、レジスタNewCh１４ｂに格納されているチャンネルデータとそれ以前に操作されてレジスタLastCh１４ａに格納されているチャンネルデータとが等しいかどうかを判断する（Ｓ１２）。選局処理部１４は、両者が等しくないという判断をした場合には、現在選択されているチューナーの受信チャンネルを切り替える（Ｓ１３）。例えば、BSデジタルの最終受信チャンネルのレジスタChBS１４ｃ、CSデジタルの最終受信チャンネルのレジスタChCS１４ｄ、地上デジタルの最終受信チャンネルのレジスタChGD１４ｅ及び地上アナログの最終受信チャンネルのレジスタChGA１４ｆの内、受信チューナーのレジスタ（１４ｅ〜１４ｆの何れか）に、レジスタNewCh１４ｂのチャンネルデータを格納して変更するとともに、そのチャンネルデータと図３のデータに基づいて該当する受信チューナー（１６ａ〜１６ｄ）のチャンネルを選局する。そして、レジスタNewCh１４ｂに格納されているチャンネルデータをレジスタLastCh１４ａに格納する（Ｓ１４）。次に、LastChクリアタイマ１４ｇの計測をスタートさせる（Ｓ１７）。このLastChクリアタイマ１４ｇの計測のスタートにより時間計測が開始して所定の時間を計測するとタイマアップし（Ｓ２１）、レジスタLastCh１４ａのデータを無効にする（Ｓ２２）。なお、このレジスタLastCh１４ａのデータを無効にするということは、例えば上記のダイレクト選局ボタン３２ａには無い数値等を格納することにより実現する。
【００２０】
ここで、上記のLastChクリアタイマ１４ｇがタイマアップする前に、選局処理部１４はダイレクト選局ボタン３２ａの操作信号をキー入力処理部１２を介して入力すると、それをレジスタNewCh１４ｂに格納する（Ｓ１１）。そして、そして、レジスタNewCh１４ｂに格納されているチャンネルデータとそれ以前に操作されてレジスタLastCh１４ａに格納されているチャンネルデータとが等しいかどうかを判断する（Ｓ１２）。チューナー選択部１３は両者が等しいという判断をした場合には、受信チューナーを切り替える（Ｓ１５）。このチューナー１６の切替は、例えばＢＳデジタル放送（ＢＳ）→ＣＳデジタル放送（ＣＳ）→地上デジタル放送（地上Ｄ）→地上デジタル放送（地上Ａ）という具合に切り替えるものとし、例えば現在ＢＳデジタルチューナー１６ａが選択されていれば（即ち受信チューナーであれば）、ＣＳデジタルチューナー１６ｂに切り替えるという処理をする。そして、選局処理部１４は上記のレジスタNewCh１４ｂに格納されているチャンネルデータを読み出し、その切り替えられた受信チューナーのチャンネルをそのチャンネルデータに相当するものに選局する（Ｓ１６）。その際においても、図３のテーブルを参照して選局することになる。そして、LastChクリアタイマ１４ｇをスタートさせる（Ｓ１７）。このLastChクリアタイマ１４ｇはそのスタートの指令に従って計測開始して所定の時間を計測するとタイマアップし（Ｓ２１）、レジスタLastCH１４ａのデータを無効にする（Ｓ２２）。
【００２１】
なお、上記の説明は、ダイレクト選局ボタン３２ａから同じ操作信号が所定時間内（LastChクリアタイマ１４ｇがタイムアップする前）に連続して入力した場合の例であるが、所定時間を超えて同じ操作信号が連続して入力した場合には、レジスタLastCH１４ａには無効データが格納されることになるので（Ｓ２２）、上記の判断処理（Ｓ１２）が成立せず、受信チューナーの切替は行われないものとなる（即ち、通常のチャンネルの選局をすることになる）。
【００２２】
図６は図５の処理の具体例を示した説明図である。
（ａ）例えば現在ＢＳ１０１を受信しているものとする（受信チューナーはＢＳデジタルチューナー１６ａ）。
（ｂ）視聴者がダイレクト選局ボタン３２ａの「３」を押すと、選局処理部１４はダイレクト選局ボタン３２ａの操作信号がキー入力処理部１２を介して入力し、図３のテーブルを参照して、ＢＳデジタル放送の「３」＝ＢＳ１０３を選局する（Ｓ１３）。
（ｃ）視聴者が、その後所定時間内に、ダイレクト選局ボタン３２ａの「３」を押すと、チューナー選択部１３は図３のテーブルを参照し、受信チューナーをＢＳデジタルチューナー１６ａからＣＳデジタルチューナー１６ｂに切り替え、選局処理部１４はＣＳデジタル放送の「３」＝ＣＳ００５を選局する（Ｓ１２，Ｓ１５，Ｓ１６）。
（ｄ）視聴者が、その後所定時間内に、ダイレクト選局ボタン３２ａの「３」を押すと、チューナー選択部１３は、図３のテーブルを参照し、受信チューナーをＣＳデジタルチューナー１６ｂから地上デジタルチューナー１６ｃに切り替え、選局処理部１４は地上デジタル放送の「３」＝Ｃｈ１８を選局する（Ｓ１２，Ｓ１５，Ｓ１６）。
（ｅ）次に、視聴者が、ダイレクト選局ボタン３２ａの「１」を押すと、選局処理部１４は、図３のテーブルを参照し、地上デジタル放送の「１」＝Ｃｈ２０を選局する（Ｓ１３）。
【００２３】
（ｆ）視聴者が、その後所定時間内に、ダイレクト選局ボタン３２ａの「１」を押すと、チューナー選択部１３は、図３のテーブルを参照し、受信チューナーを地上デジタルチューナー１６ｃから地上アナログチューナー１６ｄに切り替え、選局処理部１４は地上アナログ放送の「１」＝Ｃｈ４４を選局する（Ｓ１２，Ｓ１５，Ｓ１６）。
（ｇ）視聴者が、更にその後所定時間内に、ダイレクト選局ボタン３２ａの「１」を押すと、チューナー選択部１３は、図３のテーブルを参照し、受信チューナーを地上アナログチューナー１６ｄからＢＳデジタルチューナー１６ａに切り替え、選局処理部１４はＢＳデジタルの「１」＝ＢＳ１０１を選局する（Ｓ１２，Ｓ１５，Ｓ１６）。
（ｈ）視聴者が、その後、アップダウン選局ボタン３２ｂの内、アップボタンを押すと、ＢＳデジタル放送のレジスタChBS１４ｃのチャンネルデータを読み出して（ここでは上記（ｇ）により「１」が格納されている）、その値に値に＋１し、その加算値「２」に基づいて図３のテーブルを参照し、ＢＳデジタル放送の「２」＝ＢＳ１０２を選局する。
【００２４】
以上のように本実施形態１においては、同一の選局ボタンが所定時間内に連続して押されると、受信チューナーを切り替えるとともに、その選局ボタンに割り当てられたチャンネルを選局し、そのチャンネルの映像信号を表示装置２０に表示させるようにしており、このため、希望する放送のチャンネルを効率良く読み出すことが可能になっており、操作性に優れたものとなっている。特に、プリセット情報保存部１５に格納される情報を視聴者の嗜好に合わせることにより操作性に優れたものとなる。
【００２５】
なお、図３のプリセット情報保存部１５に格納されているダイレクト選局ボタン３２ａと受信チャンネルの例は一例であり、視聴者の嗜好に応じて任意に設定されるものである。また、受信チューナーの切り替えについても、ＢＳデジタルチューナー１６ａ−ＣＳデジタルチューナー１６ｂ−地上デジタルチューナー１６ｃ−地上アナログチューナー１６ｄという順序に限定されるものではなく、任意に設定される。また、本発明の操作部の例としてリモコン１１の例について説明したが、テレビジョン装置の本体に取り付けられる操作ボタン等を操作部にしてもよいことはいうまでもない。
【図面の簡単な説明】
【００２６】
【図１】本発明の実施形態１に係るテレビジョン装置の構成を示すブロック図。
【図２】リモコンの正面図。
【図３】リセット情報保存部に格納されたプリセット情報のテーブル。
【図４】選局処理部の説明図。
【図５】チューナー選択部及び選局処理部の処理過程を示したフローチャート。
【図６】受信チューナー及びチャンネルの切り替えの過程を示した説明図。
【符号の説明】
【００２７】
１１ リモコン、１２ キー入力処理部、１３ チューナー選択部、１４ 選局処理部、
１５ プリセット情報保存部、１６ チューナー、１７ 映像音声処理部、１８ 映像出力部、１９ 音声出力部、２０ 表示装置、２１ スピーカー、３１ チューナー選択ボタン、３２ 選局ボタン、３２ａ ダイレクト選局ボタン、３２ｂ アップダウン選局ボタン。
【図１】
2006197084.tif 000003
【図２】
2006197084.tif 000004
【図３】
2006197084.tif 000005
【図４】
2006197084.tif 000006
【図５】
2006197084.tif 000007
【図６】
2006197084.tif 000008